(57)【要約】【課題】フィルタ部材で水を蒸発させて加湿する加湿機の小型化を図る。【解決手段】加湿フィルタ２１には、板状であって、右端２１ａと左端２１ｂとを持つ気化面２１０にフィルタ部材２２０が張られている。加湿フィルタ２１は、駆動部によって、加湿フィルタ２１の右端２１ａが上に移動すると同時に左端２１ｂが下に移動する左に傾く動作及び、右端２１ａが下に移動すると同時に左端２１ｂが上に移動する右に傾く動作を繰り返すように駆動される。加湿フィルタ２１は、右に傾く動作及び左に傾く動作の繰り返しによって、フィルタ部材２２０への水の供給及び気化面２１０での加湿を行なえるように設置されている。【選択図】図７
2015145741.tif 000002
【特許請求の範囲】
【請求項１】
第１端と前記第１端の反対側に在る第２端とを持つ気化面（２１０，２１０Ａ，２１０Ｂ）にフィルタ部材（２２０）が張られた板状の加湿フィルタ（２１，２１Ａ，２１Ｂ）と、
前記加湿フィルタの前記第１端が上に移動すると同時に前記第２端が下に移動する第１動作及び、前記第１端が下に移動すると同時に前記第２端が上に移動する第２動作を繰り返すように前記加湿フィルタを駆動する駆動部（３０，３０Ａ）と
を備え、
前記加湿フィルタは、前記第１動作及び前記第２動作の繰り返しによって、前記フィルタ部材への水の供給及び前記気化面での加湿を行なえるように設置されている、加湿機。
【請求項２】
前記第１端が下に移動したときに前記フィルタ部材の前記第１端の側を水に浸漬するための第１貯水部（２７１，２７１Ａ）と、
前記第２端が下に移動したときに前記フィルタ部材の前記第２端の側を水に浸漬するための第２貯水部（２７２，２７２Ａ）とをさらに備える、
請求項１に記載の加湿機。
【請求項３】
前記加湿フィルタ（２１）は、前記第１端と前記第２端の間の前記気化面（２１０）が断面円弧状に形成され、
前記駆動部は、断面円弧状の前記気化面の中心軸側に前記加湿フィルタの支点を有し、前記支点を通る回転軸の周りで前記加湿フィルタを揺動させることによって前記第１動作と前記第２動作を繰り返し行なわせる、
請求項１又は請求項２に記載の加湿機。
【請求項４】
前記加湿フィルタ（２１Ａ）は、前記第１端と前記第２端の間の前記気化面が断面逆Ｕ字形に形成され、
前記駆動部は、前記気化面に３方を囲まれた空間内に前記加湿フィルタの支点を有し、前記支点を通る回転軸の周りで前記加湿フィルタを揺動させることによって前記第１動作と前記第２動作を繰り返し行なわせる、
請求項１又は請求項２に記載の加湿機。
【請求項５】
前記第１端が下に移動したときの前記フィルタ部材の前記第１端の側を水に浸漬するための貯水部（２７６）をさらに備え、
前記フィルタ部材は、前記第２端が下に移動したときの前記第２端の側を水に浸漬されないように構成されている、
請求項１に記載の加湿機。
【請求項６】
前記加湿フィルタ（２１Ｂ）は、前記第１端と前記第２端の間の前記気化面が平板状に形成され、
前記駆動部は、前記気化面の近傍に前記加湿フィルタの支点を有し、前記支点を通る回転軸の周りで前記加湿フィルタを揺動させることによって前記第１動作と前記第２動作を繰り返し行なわせる、
請求項５に記載の加湿機。
【請求項７】
前記加湿フィルタは、前記フィルタ部材が平面視において四角形に形成されている、
請求項１から６のいずれか一項に記載の加湿機。
【請求項８】
前記加湿フィルタ（２１，２１Ａ，２１Ｂ）は、下から上または上から下に流れる所定気流に対して加湿するために、前記フィルタ部材が前記所定気流を常に横切る位置に配置されている、
請求項１から７のいずれか一項に記載の加湿機。
【請求項９】
前記駆動部は、前記フィルタ部材の前記第１端の側及び前記第２端の側の両側が水に浸漬しない停止ポジションで前記加湿フィルタを停止させる機能を持つ、
請求項１から８のいずれか一項に記載の加湿機。
【発明の詳細な説明】
【技術分野】
【０００１】
本発明は、加湿機に関する。
【背景技術】
【０００２】
従来から、水槽の水にフィルタ部材の一部を浸漬し、水を含んだフィルタ部材から常温の水を蒸発させることにより室内を加湿する加湿機がある。そのような加湿機の中に、フィルタ部材を回転させて水槽からの吸水と通風乾燥とを交互に繰り返すことで高湿度の空気を生成し、この高湿度の空気を室内へ供給するタイプのものがある。このタイプの加湿機として、例えば、特許文献１（特開２００３−３０２０７７号公報）には、長方形の板状のフィルタ部材を回転させ、フィルタ部材の両端を交互に水槽の水に浸漬してフィルタ部材に水を吸収させる加湿機の記載がある。
【発明の開示】
【発明が解決しようとする課題】
【０００３】
しかしながら、特許文献１に記載されている加湿機は、フィルタ部材が回転するための空間が必要になることから大型化する傾向がある。また、フィルタ部材が回転する際に、風路がフィルタ部材によって塞がれる状態と塞がれない状態とが繰り返されることに起因して、風量が脈動し、また騒音が脈動するなどの不具合が生じる。
【０００４】
本発明の課題は、フィルタ部材で水を蒸発させて加湿する加湿機の小型化を図ることである。
【課題を解決するための手段】
【０００５】
本発明の第１観点に係る加湿機は、第１端と第１端の反対側に在る第２端とを持つ気化面にフィルタ部材が張られた板状の加湿フィルタと、加湿フィルタの第１端が上に移動すると同時に第２端が下に移動する第１動作及び、第１端が下に移動すると同時に第２端が上に移動する第２動作を繰り返すように加湿フィルタを駆動する駆動部とを備え、加湿フィルタは、第１動作及び第２動作の繰り返しによって、フィルタ部材への水の供給及び気化面での加湿を行なえるように設置されている。
【０００６】
第１観点の加湿機では、加湿フィルタは、駆動部によってシーソーのように第１端の上への移動と第２端の下への移動及び第１端の下への移動と第２端の上への移動しかしないために移動範囲が小さくなる。また、加湿フィルタの動作がシーソーのような単純な揺動動作であることから駆動部の構造も単純化される。これらの理由から、加湿フィルタと駆動部のために必要な空間を小さくすることができる。
【０００７】
本発明の第２観点に係る加湿機は、第１観点の加湿機であって、第１端が下に移動したときにフィルタ部材の第１端の側を水に浸漬するための第１貯水部と、第２端が下に移動したときにフィルタ部材の第２端の側を水に浸漬するための第２貯水部とをさらに備える、ものである。
【０００８】
第２観点の加湿機では、フィルタ部材の第１端の側を水に浸漬するための第１貯水部と第２端の側を水に浸漬するための第２貯水部とをさらに備えるので、シーソーのような第１動作と第２動作のそれぞれにおいて、フィルタ部材の第１端側と第２端側を交互に第１貯水部と第２貯水部の水に浸漬できる。その結果、フィルタ部材が第１動作と第２動作の両方で水をフィルタ部材に吸水させることができる。
【０００９】
本発明の第３観点に係る加湿機は、第１観点又は第２観点の加湿機であって、加湿フィルタは、第１端と第２端の間の気化面が断面円弧状に形成され、駆動部は、断面円弧状の気化面の中心軸側に加湿フィルタの支点を有し、支点を通る回転軸の周りで加湿フィルタを揺動させることによって第１動作と第２動作を繰り返し行なわせる、ものである。
【００１０】
第３観点の加湿機では、気化面の形状が断面円弧状であって駆動部が加湿フィルタを回転軸周りで揺動させるので、第１動作と第２動作における加湿フィルタの動きが気化面に沿う動きになる。その結果、第１端と第２端は上下に動くが、加湿フィルタの上下動が抑制される。
【００１１】
本発明の第４観点に係る加湿機は、第１観点又は第２観点の加湿機であって、加湿フィルタは、第１端と第２端の間の気化面が断面逆Ｕ字形に形成され、駆動部は、気化面に３方を囲まれた空間内に加湿フィルタの支点を有し、支点を通る回転軸の周りで加湿フィルタを揺動させることによって第１動作と第２動作を繰り返し行なわせる、ものである。
【００１２】
第４観点の加湿機では、気化面の形状が断面逆Ｕ字形であって駆動部が加湿フィルタを回転軸周りで揺動させるので、第１動作と第２動作におけるフィルタ部材の上面が傾斜する動きになる。従って、上方に動いた第１端又は上方に動いた第２端からフィルタ部材の上面に水を伝え易くなる。その結果、フィルタ部材の全面への水の供給が容易になる。
【００１３】
本発明の第５観点に係る加湿機は、第１観点の加湿機であって、第１端が下に移動したときのフィルタ部材の第１端の側を水に浸漬するための貯水部をさらに備え、フィルタ部材は、第２端が下に移動したときの第２端の側を水に浸漬されないように構成されている、ものである。
【００１４】
第５観点の加湿機では、フィルタ部材の第２端の側を水に浸漬させない構成であることから、第２端の側には貯水部を設けなくて済む。
【００１５】
本発明の第６観点に係る加湿機は、第５観点の加湿機であって、加湿フィルタは、第１端と第２端の間の気化面が平板状に形成され、駆動部は、気化面の近傍に加湿フィルタの支点を有し、支点を通る回転軸の周りで加湿フィルタを揺動させることによって第１動作と第２動作を繰り返し行なわせる、ものである。
【００１６】
第６観点の加湿機では、気化面の形状が平板状であって駆動部が加湿フィルタを気化面近傍の回転軸周りで揺動させるので、気化面に沿って水を移動させ易くなる。その結果、フィルタ部材の第２端の側を水に浸漬させなくても、フィルタ部材の全面への水の供給が容易になる。
【００１７】
本発明の第７観点に係る加湿機は、第１観点から第６観点のいずれかの加湿機であって、加湿フィルタは、フィルタ部材が平面視において四角形に形成されている、ものである。
【００１８】
第７観点の加湿機では、フィルタ部材が平面視において四角形であるので、フィルタ部材を作成する際に原反からフィルタ部材を隙間なく切り出して切れ端をなくし、切れ端をなくした分に相当する材料費が削減される。
【００１９】
本発明の第８観点に係る加湿機は、第１観点から第７観点のいずれかの加湿機であって、加湿フィルタは、下から上または上から下に流れる所定気流に対して加湿するために、フィルタ部材が所定気流を常に横切る位置に配置されている、ものである。
【００２０】
第８観点の加湿機では、フィルタ部材の配置が、下から上または上から下に流れる所定気流を常に横切っている位置であるので、フィルタ部材が横切ったり、横切らなかったりすることによる所定気流の脈動を抑制することができる。
【００２１】
本発明の第９観点に係る加湿機は、第１観点から第８観点のいずれかの加湿機であって、駆動部は、フィルタ部材の第１端の側及び第２端の側の両側が水に浸漬しない停止ポジションで加湿フィルタを停止させる機能を持つ、ものである。
【００２２】
第９観点の加湿機では、フィルタ部材の第１端の側及び第２端の側の両側が水に浸漬しない停止ポジションで加湿フィルタを停止させることにより、フィルタ部材への水の供給を停止して加湿機能を停止させることができる。その結果、停止ポジションを設定するという簡単な構成によって、加湿停止機能を付加することができる。また、停止中は加湿フィルタが停止ポジションにあるので、フィルタ部材を水につけたまま長時間放置しなくても済むためにフィルタ部材が高い耐久性を要求されないことから安価なフィルタ部材を用いて加湿機が構成できる。
【発明の効果】
【００２３】
本発明の第１観点に係る加湿機では、加湿フィルタと駆動部のために必要な空間が小さくなり、加湿機の小型化を図ることができる。
【００２４】
本発明の第２観点に係る加湿機では、フィルタ部材に効率良く吸水させることができ、高い加湿性能を得ることができる。
【００２５】
本発明の第３観点に係る加湿機では、加湿フィルタの動作のために必要な空間をさらに小さくでき、加湿機の小型化がさらに容易に実現できる。
【００２６】
本発明の第４観点に係る加湿機では、フィルタ部材への水の供給が容易で、高い加湿性能を得易くなる。
【００２７】
本発明の第５観点に係る加湿機では、さらに加湿機を小型化し易くなる。
【００２８】
本発明の第６観点に係る加湿機では、同時に加湿機の小型化と加湿性能の維持とを図り易くなる。
【００２９】
本発明の第７観点に係る加湿機では、コストを削減することができる。
【００３０】
本発明の第８観点に係る加湿機では、風量の脈動や騒音の脈動を抑制することができる。
【００３１】
本発明の第９観点に係る加湿機では、加湿停止機能の付加とフィルタ部材の長期間の使用を低コストで実現できる。
【図面の簡単な説明】
【００３２】
【図１】本発明の第１実施形態に係る加湿機能付き空気清浄機の外観斜視図。
【図２】図１の空気清浄機のＩ−Ｉ線断面図。
【図３】図１の空気清浄機の組立図。
【図４】図１に示されている加湿装置の斜視図。
【図５】図４に示されている加湿装置の駆動部を説明するための部分拡大斜視図。
【図６】図４に示されている加湿装置の断面図。
【図７】（ａ）図４の加湿装置において加湿フィルタが左に傾いたときの断面図、（ｂ）図４の加湿装置において加湿フィルタが右に傾いたときの断面図。
【図８】本発明の第２実施形態に係る加湿装置の斜視図。
【図９】図８に示されている加湿装置の平面図。
【図１０】図９の加湿装置のＩＩ−ＩＩ線断面図。
【図１１】図８の加湿装置の貯水トレイを示す底面図。
【図１２】図９の加湿装置のＩＩＩ−ＩＩＩ線断面。
【図１３】本発明の第３実施形態に係る加湿装置の斜視図。
【図１４】図１３に示されている加湿装置の断面図。
【図１５】第３実施形態に係る加湿装置の斜視図。
【図１６】図１５に示されている加湿装置の断面図。
【図１７】（ａ）図１３に示されている加湿フィルタの前端の部分拡大断面図、（ｂ）図１３に示されている加湿フィルタの後端の部分拡大断面図、（ｃ）図１５に示されている加湿フィルタの前端の部分拡大断面図、（ｄ）図１５に示されている加湿フィルタの後端の部分拡大断面図。
【図１８】図１の空気清浄機の制御系統を説明するためのブロック図。
【発明を実施するための形態】
【００３３】
＜第１実施形態＞
（１）加湿機能付き空気清浄機の概要
以下、本発明の第１実施形態に係る加湿機として加湿機能付き空気清浄機を例に挙げて説明する。図１は、第１実施形態に係る空気清浄機の斜視図であり、図２は、図１のＩ−Ｉ線断面であり、図３は、第１実施形態に係る空気清浄機の組立図である。この明細書においては、空気清浄機１０についての上下方向、前後方向及び左右方向が、図１及び図３において図中に矢印で示されている方向であるものとして説明する。空気清浄機１０は、本体ケーシング１１、プレフィルタ１２、シロッコファン１３、ＨＥＰＡ（High Efficiency Particulate Air）フィルタなどの集塵フィルタ１４、脱臭フィルタ１５及び加湿装置２０を備えている。
【００３４】
本体ケーシング１１は、形状が直方体状であり、前面１１Ｆ、後面１１Ｂ、右側面１１Ｒ、左側面１１Ｌ、底面１１Ｕ及び上面１１Ｔを持っている。本体ケーシング１１の右側面１１Ｒ、左側面１１Ｌ及び後面１１Ｂはプラスチック製であって一体的に成形されている。
【００３５】
本体ケーシング１１の内部は、下から順に、送風室Ｒ１，空気清浄室Ｒ２及び加湿室Ｒ３に分けられる。送風室Ｒ１には、プレフィルタ１２及びシロッコファン１３が収納されている。空気清浄室Ｒ２には、集塵フィルタ１４及び脱臭フィルタ１５が収納されている。また、加湿室Ｒ３には、加湿装置２０が収納されている。送風室Ｒ１のシロッコファン１３から吹出された空気は、空気清浄室Ｒ２の集塵フィルタ１４及び脱臭フィルタ１５を通過する。そして、集塵フィルタ１４及び脱臭フィルタ１５を通過した空気は、空気清浄室Ｒ２と加湿室Ｒ３との間の開口部１１ｇを通って加湿室Ｒ３に入る。さらに、本体ケーシング１１の内部には、制御装置９０（図１８参照）が収納されている。
【００３６】
プレフィルタ１２、集塵フィルタ１４、脱臭フィルタ１５及び加湿装置２０は、図３に示されているように、直方体状の本体ケーシング１１の前面１１Ｆを形成する開閉扉１６を開いて、本体ケーシング１１から前方に取り出すことができるように構成されている。      
【００３７】
本体ケーシング１１には、空気清浄機１０が室内空気を吸い込むために、下方（送風室Ｒ１）の右側面１１Ｒ及び左側面１１Ｌに吸込口１１ａ，１１ｂがそれぞれ設けられている。また、空気清浄機１０が本体ケーシング１１の内部で清浄化し、さらには必要に応じて加湿した空気を吹出すために、本体ケーシング１１の上面１１Ｔの前方側に吹出口１１ｃが設けられている。そして、本体ケーシング１１の吸込口１１ａ，１１ｂをそれぞれ覆うように、本体ケーシング１１の左右側面の内側には、例えば薄くて柔らかい樹脂製のネットで形成されるプレフィルタ１２が１枚ずつ取り付けられている。
【００３８】
本体ケーシング１１の底面１１Ｕには、両側吸い込み式のシロッコファン１３が設置されている。シロッコファン１３の２つの吸込口は、それぞれ１枚のプレフィルタ１２を挟んで吸込口１１ａ，１１ｂに対面している。シロッコファン１３の内部でファンモータ１３１によって回転させられるファンロータ１３２（図２参照）は空気を遠心方向に吹き出して回転軸周りの圧力が低下し、空気はファンロータ１３２の左右両側に位置するシロッコファン１３の２つの吸込口に吸い込まれる。その結果、シロッコファン１３の吸込口から吹出口１３ａに向かう空気の流れが発生する。制御装置９０は、設定に応じてシロッコファン１３のファンロータ１３２の回転数を制御し、送風する空気の量を調節する。シロッコファン１３が駆動されると、吸込口１１ａ，１１ｂの両方から本体ケーシング１１の内部に室内空気が吸い込まれ、その際にプレフィルタ１２によって比較的大きな塵埃が取り除かれる。プレフィルタ１２によって塵埃が取り除かれた室内空気は、シロッコファン１３の吸込口から吸い込まれてシロッコファン１３の上方にある吹出口から吹出される。
【００３９】
シロッコファン１３の上方には、集塵フィルタ１４が配置され、集塵フィルタ１４の上方にはさらに脱臭フィルタ１５が配置されている。このような構成によって、シロッコファン１３の吹出口から上方に向かって吹出される空気流は、集塵フィルタ１４及び脱臭フィルタ１５を順に通過する。集塵フィルタ１４及び脱臭フィルタ１５を通過する空気流からは、プレフィルタ１２を通過した比較的小さな塵埃が集塵フィルタ１４で取り除かれ、臭いの元になる化学物質が脱臭フィルタ１５で取り除かれる。
【００４０】
脱臭フィルタ１５の上方には、加湿装置２０が配置されている。脱臭フィルタ１５を通過した空気流は、加湿装置２０と通って本体ケーシング１１の吹出口１１ｃから室内に向けて吹出される。加湿装置２０は、加湿機能を発揮する状態と、加湿機能を停止する状態とを切り替えられるように構成されている。そのため、加湿装置２０が加湿機能を発揮している状態のときに吹出口１１ｃから吹出される空気は、加湿装置２０によって加湿されるので、清浄化と加湿の両方の処理を受けた調和空気である。一方、加湿装置２０が加湿機能を停止している状態のときに吹出口１１ｃから吹出される空気は、加湿装置２０からの加湿を受けないので、清浄化の処理のみを受けた調和空気である。
【００４１】
（２）加湿装置２０の構成
図４は、図１及び図３に示されている加湿装置２０の斜視図である。図５は、図４の加湿装置２０の駆動部を説明するための部分拡大斜視図である。加湿装置２０は、加湿フィルタ２１、貯水トレイ２２、貯水タンク２３及び駆動部３０を備えている。図４には、加湿装置２０を後方左斜め上から見た状態が示されている。
【００４２】
（２−１）加湿フィルタ２１
加湿フィルタ２１には、右端２１ａと左端２１ｂを持つ気化面２１０にフィルタ部材２２０が張られている。フィルタ部材２２０を張るために、加湿フィルタ２１は、支持枠２３０を有している。
【００４３】
支持枠２３０は、外枠２４０、内枠２５０及び支持棒２６０を有している。外枠２４０は、上方から見て長方形の四辺にあたる部分に配置されている前枠２４１、後枠２４２、右枠２４３及び左枠２４４を有する。つまり、右枠２４３が加湿フィルタ２１の気化面２１０の右端２１ａに配置され、左枠２４４が気化面２１０の左端２１ｂに配置されている。右枠２４３及び左枠２４４は、柄杓のように水を汲み上げられるように断面Ｕ字形に形成されている。前枠２４１及び後枠２４２は、前方から見た正面視において円弧状に湾曲した形状に形成されている。この外枠２４０の内側にフィルタ部材２２０が張られている。フィルタ部材２２０を支えるために、外枠２４０の内側に形成されている内枠２５０は、前枠２４１と後枠２４２を直線状につなぐ５本の縦桟２５１と、前枠２４１と後枠２４２と同じ曲率で円弧状に湾曲した横桟２５２とからなる。そして、外枠２４０に張られたフィルタ部材２２０も、外枠２４０と同様に、前方から見た正面視において円弧状に湾曲している。つまり、フィルタ部材２２０は、外枠２４０と内枠２３２によってアーチ橋のような形状に保持されている。
【００４４】
前枠２４１及び後枠２４２には、それぞれ支持棒２６０が形成されている。２本の支持棒２６０は、前枠２４１及び後枠２４２のそれぞれの中央から下方向に延びている。そして、２本の支持棒２６０の上にはそれぞれ前枠２４１と後枠２４２の曲率中心ＣＣが存在するように、支持棒２６０は、前枠２４１及び後枠２４２の曲率半径よりも長く形成されている。支持棒２６０は、曲率中心ＣＣを支点として左右に揺動するように曲率中心ＣＣを支持されている。
【００４５】
（２−２）貯水トレイ２２
貯水トレイ２２は、貯水タンク２３を支えるタンク受け部２７０及び加湿フィルタ２１に水を供給するために水を貯えておくための右側水路２７１及び左側水路２７２を備えている。タンク受け部２７０は、貯水タンクを支えるだけでなく、貯水タンク２３に貯えられている水を受け取る機能を有している。図６及び図７は、加湿装置２０の断面図である。この図６及び図７に示されているように、右側水路２７１及び左側水路２７２は、加湿装置２０の左右に配置され、前後に延びている。右側水路２７１及び左側水路２７２は、いずれも断面略Ｖ字形の形状であり、上方に向かって開放されている。これら右側水路２７１及び左側水路２７２は、タンク受け部２７０で受け取られた水を引き入れられるように構成されている。そして、タンク受け部２７０は、支持している貯水タンク２３に水が貯えられている間中ずっと、右側水路２７１及び左側水路２７２の水面が一定の高さを保つように貯水タンク２３から水を受け取る。ここでは、この一定の高さの水面と右側水路２７１及び左側水路２７２の側面が接する線を喫水線ＤＬと呼ぶ。つまり、喫水線ＤＬよりも右側水路２７１及び左側水路２７２の水面が下がると、貯水タンク２３からタンク受け部２７０に水が供給され、その供給された水が右側水路２７１及び左側水路２７２に引き込まれ、右側水路２７１及び左側水路２７２の水面が喫水線ＤＬまで上昇する。右側水路２７１及び左側水路２７２の水面が喫水線ＤＬまで上昇すると貯水タンク２３からタンク受け部２７０への給水が停止するように構成されており、右側水路２７１及び左側水路２７２の水面が喫水線ＤＬの高さに制御される。
【００４６】
（２−３）貯水タンク２３
貯水タンク２３は、タンク本体２８０及び蓋部２８１を備えている。タンク本体２８０は、底面２８２、前面２８３、後面２８４、右側面２８５及び左側面２８６を持っている。タンク本体２８０の前面２８３は、本体ケーシング１１の前面１１Ｆに沿うように配置される。タンク本体２８０が本体ケーシング１１に収納された状態で、タンク本体２８０の右側面２８５が本体ケーシング１１の右側面１１Ｒの内面に接し、タンク本体２８０の左側面２８６が本体ケーシング１１の左側面１１Ｌの内面に接する。そして、後面２８４が前方に向かって湾曲しており、本体ケーシング１１に収納されたタンク本体２８０の後面２８４の上方には、吹出口１１ｃが形成されている。このような構成のために、吹出口１１ｃから吹出される調和空気は、タンク本体２８０の後面２８４に沿って案内される。
【００４７】
タンク本体２８０の底面２８２には、蓋部２８１が取り付けられている。貯水タンク２３に給水する際には、底面２８２を上に向けて、蓋部２８１を外してタンク本体２８０の内部に注水する。貯水タンク２３を貯水トレイ２２にセットするときは、底面２８２を下に向けるが、蓋部２８１を閉めているとタンク本体２８０から下には水がこぼれない構成になっている。貯水タンク２３の蓋部２８１を貯水トレイ２２のタンク受け部２７０に取り付けると、蓋部２８１の一部にタンク受け部２７０の一部が契合して注水口（図示せず）が開く仕組みになっている。この注水口からタンク受け部２７０を経由して右側水路２７１及び左側水路２７２に水が供給されることで、右側水路２７１及び左側水路２７２の水面の高さが喫水線ＤＬの位置を維持する。このような機能を持つ蓋部２８１は、従来からある周知の蓋部の構造を用いて実現される。
【００４８】
（２−４）駆動部３０
図５に示されているように、駆動部３０は、モータ３１及びクランク部３２を備えている。モータ３１は貯水トレイ２２に固定されている。クランク部３２は、モータ３１に中心部が接続され、モータ３１によって回転駆動される回転板３４と、回転板３４の中心部から外周側に離れた位置に配置されているクランクピン３５とを含んでいる。クランクピン３５は、加湿フィルタ２１の支持棒２６０に形成されているスリット２６１に嵌め込まれている。クランク部３２の回転板３４が回転するとクランクピン３５が円運動をする。クランクピン３５とスリット２６１が係わり合ってクランクピン３５の回転運動を支持棒２６０の揺動運動に変換する。
【００４９】
（３）加湿装置の動作
加湿装置２０の動作について、図６、図７（ａ）及び図７（ｂ）を用いて説明する。図６には、クランクピン３５が中央に位置するときの加湿フィルタ２１の状態が示されている。そして、図７（ａ）には、クランクピン３５が最も左に寄ったときの加湿フィルタ２１の状態が示されている。モータ３１によってクランク部３２の回転板３４が回転しているときには、クランクピン３５が中央に位置する状態、最も左寄りに位置する状態、中央に位置する状態、そして最も右寄りに位置する状態を順にとることになる。このクランクピン３５の動きに連れて、加湿フィルタ２１も、図６のように直立している状態、図７（ａ）のように左に傾いている状態、直立している状態、図７（ｂ）のように右に傾いている状態、そして図６のように直立している状態を順にとることになる。つまり、加湿フィルタ２１は、モータ３１（クランクピン３５）の回転に応じて、シーソーのように左に傾いたり、右に傾いたりする揺動を繰り返す。左右に揺動する際、曲率中心ＣＣを支点として加湿フィルタ２１が移動するので、加湿フィルタ２１の前枠２４１、後枠２４２及び横桟２５２が曲率中心ＣＣを中心とする円弧に沿って動く。その結果、気化面２１０の右端２１ａ及び左端２１ｂは上下移動するが、気化面２１０と曲率中心ＣＣとの距離が変わらないので、加湿フィルタ２１が移動する空間は小さな範囲に収まる。
【００５０】
図６に示されているように加湿フィルタ２１が直立しているときは、加湿フィルタ２１の気化面２１０の右端２１ａ及び左端２１ｂは喫水線ＤＬよりも上にある。つまり、このとき、加湿フィルタ２１の右枠２４３も左枠２４４も右側水路２７１及び左側水路２７２の水中に没していない。
【００５１】
図７（ａ）に示されているように加湿フィルタ２１が左に傾いているときは、加湿フィルタ２１の気化面２１０の左端２１ｂつまり左枠２４４が左側水路２７２の水中に没する。左枠２４４が左側水路２７２の水中に没することで、フィルタ部材２２０の左端から水が浸み込む。特に、前枠２４１とフィルタ部材２２０の隙間、後枠２４２とフィルタ部材２２０の隙間及び横桟２５２とフィルタ部材２２０の隙間を伝って水が水面よりも遠くまで浸入するので、フィルタ部材２２０が水で濡れる面積が速く増加する。
【００５２】
左側に傾いたときと同様に、加湿フィルタ２１が右側に傾いているときは、加湿フィルタ２１の気化面２１０の右端２１ａつまり右枠２４３が右側水路２７１の水中に没する。右枠２４３が右側水路２７１の水中に没することで、フィルタ部材２２０の右端から水が浸み込む。右に傾いたときも、前枠２４１、後枠２４２及び横桟２５２とフィルタ部材２２０との隙間を水が伝うことによって、フィルタ部材２２０が水で濡れる面積が速く増加するのは、左側に傾いたときと同様である。最初は、フィルタ部材２２０の中央部が濡れていなくても、加湿フィルタ２１が揺動を繰り返すことで、フィルタ部材２２０の濡れている面積は増加を続け、やがてフィルタ部材２２０の全面に水が浸み込んだ状態になる。
【００５３】
ところで、図６、図７（ａ）及び図７（ｂ）に矢印で示されているのは、フィルタ部材２２０を通過する気流Ａｒ１である。右側水路２７１の内側の辺２７１ａと左側水路２７２の内側の辺２７２ａの間は、気流が通る開口２９０になっている。図６、図７（ａ）及び図７（ｂ）の加湿フィルタ２１と開口２９０の関係を見ると、加湿フィルタ２１が直立しているときも左に傾いているときも、開口２９０の上方を常に加湿フィルタ２１が覆っている。加湿フィルタ２１が開口２９０の上方を覆うのは、加湿フィルタ２１が右に傾いているときも同様である。従って、開口２９０の上方の状況は、加湿フィルタ２１の揺動に無関係に同じ状況が維持される。その結果、加湿フィルタ２１が揺動しても、開口２９０を通過する気流に対して加湿フィルタ２１で発生する抵抗の変動は極めて小さくなり、加湿フィルタ２１の揺動に起因する風量の脈動や騒音の脈動が防止される。
【００５４】
気流Ａｒ１がフィルタ部材２２０を通過するとき、フィルタ部材２２０が湿っていれば気化面２１０から気化する水分によって気流は加湿され、フィルタ部材２２０が乾いていれば気流は加湿されない。すなわち、図６の状態を維持し続けると、フィルタ部材２２０が乾いて加湿が停止する。加湿フィルタ２１が揺動して、気化面２１０に右側水路２７１及び左側水路２７２から水が供給され続けると、加湿フィルタ２１による加湿が継続して行なわれる。
【００５５】
＜第２実施形態＞
（４）加湿機能付き空気清浄機の概要
次に、第２実施形態に係る空気清浄機について説明するが、第２実施形態に係る空気清浄機も第１実施形態に係る空気清浄機１０と同様に空気清浄機能とともに加湿機能を有しており、加湿装置の構成を除いて、第２実施形態に係る空気清浄機も第１実施形態に係る空気清浄機１０と同じ構成を有している。図８には、第２実施形態に係る加湿装置２０Ａを左後方の斜め上から見た状態が示されている。そして、図９は図８の加湿装置２０Ａの平面図であり、図１０は図９の加湿装置２０ＡのＩＩ−ＩＩ線断面図である。
【００５６】
（５）加湿装置の構成
図８乃至図１０に示されているように、加湿装置２０Ａは、加湿フィルタ２１Ａ、貯水トレイ２２Ａ、貯水タンク２３及び駆動部３０Ａを備えている。第２実施形態の貯水タンク２３の構成は、第１実施形態の加湿装置２０の貯水タンク２３の構成と同じであるので説明を省略する。
【００５７】
（５−１）加湿フィルタ
加湿フィルタ２１Ａには、右端２１ａと左端２１ｂを持つ気化面２１０Ａにフィルタ部材２２０が張られている。フィルタ部材２２０を張るために、加湿フィルタ２１Ａは、支持枠２３０Ａを有している。加湿フィルタ２１Ａは断面逆Ｕ字形に形成されている。つまり、支持枠２３０Ａが正面視逆Ｕ字形に形成されているため、フィルタ部材２２０が第１実施形態と同じであっても、支持枠２３０Ａの形状に沿ってフィルタ部材２２０が湾曲するため気化面２１０Ａも断面逆Ｕ字形に形成される。気化面２１０Ａは、中央に配置されている平坦な中央領域２１１Ａと、それぞれ右端２１ａ及び左端２１ｂにおいて上下に延びる右領域２１２Ａ及び左領域２１３Ａを含んでいる。
【００５８】
支持枠２３０Ａは、外枠２４０Ａ、内枠２５０Ａ及び支持部材２６０Ａを有している。図９に示されているように、外枠２４０Ａは、上方から見て長方形の四辺にあたる部分に配置されている前枠２４１Ａ、後枠２４２Ａ、右枠２４３Ａ及び左枠２４４Ａを有する。つまり、右枠２４３Ａが加湿フィルタ２１Ａの気化面２１０Ａの右端２１ａに配置され、左枠２４４Ａが気化面２１０Ａの左端２１ｂに配置されている。前枠２４１Ａ及び後枠２４２Ａは、前方から見た正面視において逆Ｕ字形に湾曲した形状に形成されている。この外枠２４０Ａの内側にフィルタ部材２２０が張られている。フィルタ部材２２０を支えるために、外枠２４０Ａの内側に形成されている内枠２５０Ａは、前枠２４１Ａと後枠２４２Ａを直線状につなぐ１３本の縦桟２５１Ａと、前枠２４１Ａと後枠２４２Ａと同じ逆Ｕ字形に湾曲した横桟２５２Ａとからなる。また、気化面２１０Ａの右領域２１２Ａ及び左領域２１３Ａに在る内枠２５０Ａには、右領域２１２Ａにおいて４つの柄杓２５３が取り付けられており、左領域２１３Ａにおいて４つの柄杓２５３が取り付けられている。
【００５９】
前枠２４１Ａ及び後枠２４２Ａには、それぞれ支持部材２６０Ａが形成されている。２つの支持部材２６０Ａは、前枠２４１Ａ及び後枠２４２Ａのそれぞれから下方向に延びている。２つの支持部材２６０Ａからは、それぞれ揺動の中心となる支点２６２が突出している。そして、後枠２４２Ａに２つの支持部材２６０Ａの下には被駆動ギア２６３が形成されている。この被駆動ギア２６３が駆動部３０Ａによって駆動されることによって、支点２６２を中心として加湿フィルタ２１Ａが揺動する。
【００６０】
（５−２）貯水トレイ
図１１は、貯水トレイ２２Ａの底面図である。貯水トレイ２２Ａは、貯水タンク２３を支えるタンク受け部２７０Ａ及び加湿フィルタ２１Ａに水を供給するために水を貯えておくための右側水路２７１Ａ及び左側水路２７２Ａを備えている。タンク受け部２７０Ａは、貯水タンクを支えるだけでなく、貯水タンク２３に貯えられている水を受け取る機能を有している。図１２は、加湿装置２０ＡのＩＩＩ−ＩＩＩ線断面図である。この図１２に示されているように、右側水路２７１Ａ及び左側水路２７２Ａは、加湿装置２０Ａの左右に配置され、前後に延びている。右側水路２７１Ａ及び左側水路２７２Ａは、いずれも断面５角形の形状であり、上方に開口部２７３を持っている。
【００６１】
これら右側水路２７１Ａ及び左側水路２７２Ａは、タンク受け部２７０Ａで受け取った水を引き入れられるように構成されている。そして、タンク受け部２７０Ａは、支持している貯水タンク２３に水が貯えられている間中ずっと、右側水路２７１Ａ及び左側水路２７２Ａの水面が喫水線ＤＬの高さを保つように貯水タンク２３から水を受け取る。つまり、喫水線ＤＬよりも右側水路２７１Ａ及び左側水路２７２Ａの水面が下がると、貯水タンク２３からタンク受け部２７０Ａに水が供給され、その供給された水が右側水路２７１Ａ及び左側水路２７２Ａに引き込まれ、右側水路２７１Ａ及び左側水路２７２Ａの水面が喫水線ＤＬまで上昇する。右側水路２７１Ａ及び左側水路２７２Ａの水面が喫水線ＤＬまで上昇すると貯水タンク２３からタンク受け部２７０Ａへの給水が停止するように構成されており、右側水路２７１Ａ及び左側水路２７２Ａの水面は喫水線ＤＬの高さに制御される。
【００６２】
図１０に示されている蓋部２８１の一部にタンク受け部２７０Ａが契合して注水口２８７が開く仕組みになっている。この注水口２８７から注ぎ込まれる水は、タンク受け部２７０Ａの開口部２７４を通って右側水路２７１Ａ及び左側水路２７２Ａに水が供給される。この開口部２７４の下端２７５が喫水線ＤＬの高さに対応する。
【００６３】
（５−３）駆動部
図１０及び図１２に示されているように、駆動部３０Ａは、ステッピングモータ３１Ａ及び駆動ギア３６を備えている。支持体３３は、貯水トレイ２２Ａに固定されている。駆動ギア３６は、ステッピングモータ３１Ａの駆動軸に接続され、ステッピングモータ３１Ａによって回動される。駆動部３０Ａの駆動ギア３６と加湿フィルタ２１Ａの被駆動ギア２６３が噛み合わされている。ステッピングモータ３１Ａのステップ数を制御することによって駆動ギア３６の回転角度が制御される。後方から見て駆動ギア３６が反時計回りに回転すると、被駆動ギア２６３が時計回りに回転して、図１２に二点鎖線で示されているように、加湿フィルタ２１Ａの右端２１ａが上に上昇し、左端２１ｂが下に下降する。加湿フィルタ２１Ａを水平に対してどれだけの角度θだけ傾けるか、またその傾ける速度をどの程度にするかは、ステッピングモータ３１Ａの回転速度と回転角（ステップ数）によって制御される。
【００６４】
（６）加湿装置の動作
加湿装置２０Ａの動作について、図１２を用いて説明する。図１２には、実線で加湿フィルタ２１Ａの中央領域２１１Ａが水平になっている状態が示され、２点差線で加湿フィルタ２１Ａの右端２１ａが上になるように中央領域２１１Ａが傾いている状態が示されている。まず、加湿フィルタ２１Ａの中央領域２１１Ａが水平になっている状態からステッピングモータ３１Ａが反時計回りに回転すると、被駆動ギア２６３は時計回りに回転する。被駆動ギア２６３は時計回りに回転すると、支点２６２Ａを支持部材２６０Ａに支えられている加湿フィルタ２１Ａが時計回りに回転して中央領域２１１Ａが左に傾く。中央領域２１１Ａが最も左に傾いた状態では、右端２１ａが上昇して中央領域２１１Ａの水平に対する角度θが例えば４０度になり、左端２１ｂが左側水路２７２Ａの水中に没する。このとき、左端２１ｂの柄杓２５３も水中に没し、柄杓２５３の中に水が入る。
【００６５】
次にステッピングモータ３１Ａは、時計回りに回転し、再び、中央領域２１１Ａが水平な状態に戻る。図１２に示されているように加湿フィルタ２１Ａの中央領域２１１Ａが水平になっているときは、加湿フィルタ２１Ａの気化面２１０Ａの右端２１ａ及び左端２１ｂは喫水線ＤＬよりも上にある。つまり、加湿フィルタ２１Ａの右枠２４３Ａも左枠２４４Ａも右側水路２７１Ａ及び左側水路２７２Ａの水中に没していない。そしてさらに、ステッピングモータ３１Ａは、時計回りの回転を続けて、中央領域２１１Ａの水平に対する角度θが−４０°になった時点で回転を止める。中央領域２１１Ａが最も右に傾いた状態では、左端２１ｂが上昇して中央領域２１１Ａの水平に対する角度θが例えば−４０度になり、右端２１ａが右側水路２７１Ａの水中に没する。このとき、右端２１ａの柄杓２５３も水中に没し、柄杓２５３の中に水が入る。
【００６６】
上述のようなステッピングモータ３１Ａが反時計回りの回動と時計回りの回動を繰り返すことにより、加湿フィルタ２１Ａも、図１２のように加湿フィルタ２１Ａの中央領域２１１Ａが水平になっている状態、左に傾いている状態、水平になっている状態、右に傾いている状態、そして水平になっている状態を順にとることになる。つまり、加湿フィルタ２１Ａは、ステッピングモータ３１Ａ（駆動ギア３６）の回転に応じて、シーソーのように左に傾いたり、右に傾いたりする揺動を繰り返す。
【００６７】
図１２に二点鎖線で示されているように加湿フィルタ２１Ａの中央領域２１１Ａが左に傾くと、上述のように左端２１ｂでは柄杓２５３に水が入るが、右端２１ａでは柄杓２５３からフィルタ部材２２０に水が流れ出す。このような動作によって、右端２１ａが水没している間だけでなく、右端２１ａが水面を離れて上昇しているときにも柄杓２５３によってフィルタ部材２２０への水の供給が続けられる。
【００６８】
また、加湿装置２０Ａにおいても、前枠２４１Ａとフィルタ部材２２０の隙間、後枠２４２Ａとフィルタ部材２２０の隙間及び横桟２５２Ａとフィルタ部材２２０の隙間を伝って水が水面よりも遠くまで浸入するので、フィルタ部材２２０が水で濡れる面積が速く増加するのは、第１実施形態の加湿装置２０と同様である。
【００６９】
左側に傾いたときと同様に、加湿フィルタ２１Ａが右側に傾いているときは、加湿フィルタ２１Ａの気化面２１０Ａの右端２１ａつまり右枠２４３Ａが右側水路２７１Ａの水中に没する。右枠２４３Ａが右側水路２７１Ａの水中に没することで、フィルタ部材２２０の右端から水が浸み込む。右に傾いたときも、前枠２４１Ａ、後枠２４２Ａ及び横桟２５２Ａとフィルタ部材２２０との隙間を水が伝うことによって、フィルタ部材２２０が水で濡れる面積が速く増加するのは、左側に傾いたときと同様である。さらに、左端２１ｂが水面を離れて上昇しているときにも柄杓２５３によってフィルタ部材２２０への水の供給が続けられる。
【００７０】
最初は、フィルタ部材２２０の中央部が濡れていなくても、加湿フィルタ２１Ａが揺動を繰り返すことで、フィルタ部材２２０の濡れている面積は増加を続け、やがてフィルタ部材２２０の全面に水が浸み込んだ状態になる。
【００７１】
ところで、図１１に斜線で示されているのは、フィルタ部材２２０を通過する気流を吹き上げるための下側吸い込み部分である。つまり、右側水路２７１Ａの内側の辺２７１ａと左側水路２７２Ａの内側の辺２７２ａの間は、気流Ａｒ１が通る開口２９０Ａになっている。図１２の加湿フィルタ２１Ａと開口２９０Ａの関係を見ると、加湿フィルタ２１Ａの中央領域２１１Ａが水平になっているときも左に傾いているときも、開口２９０Ａの上方を常に加湿フィルタ２１Ａが覆っている。加湿フィルタ２１Ａが開口２９０Ａの上方を覆うのは、加湿フィルタ２１Ａが右に傾いているときも同様である。従って、開口２９０Ａの上方は、加湿フィルタ２１Ａの揺動に無関係に加湿フィルタ２１Ａに覆われた状態が維持される。その結果、加湿フィルタ２１Ａが揺動しても、開口２９０Ａを通過する気流Ａｒ１に対して加湿フィルタ２１Ａで発生する抵抗の変化は極めて小さくなり、加湿フィルタ２１の揺動に起因する風量の脈動や騒音の脈動が防止される。
【００７２】
開口２９０Ａから吹き上がった気流Ａｒ１がフィルタ部材２２０を通過するとき、フィルタ部材２２０が湿っていれば気化面２１０Ａから気化する水分によって気流Ａｒ１は加湿され、フィルタ部材２２０が乾いていれば気流Ａｒ１は加湿されない。すなわち、加湿フィルタ２１Ａが図１２の状態を維持し続けると、フィルタ部材２２０が乾いて加湿が停止する。加湿フィルタ２１Ａが揺動して、気化面２１０Ａに右側水路２７１Ａ及び左側水路２７２Ａから水が供給され続けると、加湿フィルタ２１Ａによる加湿が継続して行なわれる。
【００７３】
＜第３実施形態＞
（７）加湿機能付き空気清浄機の概要
次に、第３実施形態に係る空気清浄機について説明するが、第３実施形態に係る空気清浄機も第１実施形態に係る空気清浄機１０と同様に空気清浄機能とともに加湿機能を有しており、加湿装置の構成を除いて、第３実施形態に係る空気清浄機も第１実施形態に係る空気清浄機１０と同じ構成を有している。図１３乃至図１７には、第３実施形態に係る加湿装置２０Ｂが示されている。第１実施形態に係る加湿装置２０及び第２実施形態に係る加湿装置２０Ａでは加湿フィルタ２１，２１Ａの右端２１ａ及び左端２１ｂの両端がシーソーのような揺動によって水中に没することが可能な構成になっていたが、第３実施形態に係る加湿装置２０Ｂは、交互に上下に移動する前端２１ｃと後端２１ｄのうちの前端２１ｃのみが水中に没する構成になっている。
【００７４】
（８）加湿装置の構成
図１３及び図１４には、加湿フィルタ２１Ｂの後端２１ｄが下がっている状態が示され、図１５及び図１６には、加湿フィルタ２１Ｂの前端２１ｃが下がっている状態が示されている。図１３乃至図１６に示されているように、第３実施形態に係る加湿装置２０Ｂも、加湿フィルタ２１Ｂ、貯水トレイ２２Ｂ、貯水タンク２３及び駆動部（図示せず）を備えている。なお、第３実施形態の貯水タンク２３の構成は、第１実施形態の加湿装置２０の貯水タンク２３の構成と同じであるので説明を省略する。
【００７５】
（８−１）加湿フィルタ
加湿フィルタ２１Ｂには、前端２１ｃと後端２１ｄを持つ気化面２１０Ｂにフィルタ部材２２０が張られている。フィルタ部材２２０を張るために、加湿フィルタ２１Ａは、支持枠２３０Ｂを有している。加湿フィルタ２１Ｂは平板状に形成されている。つまり、支持枠２３０Ｂが矩形の四辺を形成するため、フィルタ部材２２０が第１実施形態と同じであっても、支持枠２３０Ｂの形状に沿ってフィルタ部材２２０が矩形状に形成されるため気化面２１０Ｂも矩形になる。
【００７６】
支持枠２３０Ｂは、外枠２４０Ｂ、内枠２５０Ｂ及び支軸２６０Ｂを有している。図１３及び図１５に示されているように、外枠２４０Ｂは、長方形の四辺にあたる部分に配置されている前枠２４１Ｂ、後枠２４２Ｂ、右枠２４３Ｂ及び左枠２４４Ｂを有する。つまり、前枠２４１Ｂが加湿フィルタ２１Ｂの気化面２１０Ｂの前端２１ｃに配置され、後枠２４２Ｂが気化面２１０Ｂの後端２１ｄに配置されている。この外枠２４０Ｂの内側にフィルタ部材２２０が張られている。フィルタ部材２２０を支えるために、外枠２４０Ｂの内側に形成されている内枠２５０Ｂは、前枠２４１Ｂと後枠２４２Ｂを直線状につなぐ３本の縦桟２５１Ｂと、前枠２４１Ｂと後枠２４２Ｂを直線状につなぐ２本の横桟２５２Ｂとからなる。また、気化面２１０Ｂの前端２１ｃに柄杓２５４が取り付けられ、気化面２１０Ｂの後端２１ｄに水受け２５５が取り付けられている。図１７に示されているように、前枠２４１Ｂと後枠２４２Ｂが断面Ｃ字形に形成されており、水を汲み上げることができるように構成されている。
【００７７】
右枠２４３Ｂ及び左枠２４４Ｂの中央には、それぞれ支軸２６０Ｂが形成されている。２つの支軸２６０Ｂのうちの一つは右枠２４３Ｂから右方向に向かって突出しており、他の一つは左枠２４４Ｂから左方向に向かって突出している。そして、第１実施形態や第２実施形態の駆動部３０，３０Ａと同様にモータとクランク部材やモータとギアによって構成される駆動部（図示せず）によって、支軸２６０Ｂを中心として加湿フィルタ２１Ｂが揺動される。
【００７８】
（８−２）貯水トレイ
貯水トレイ２２Ｂは、貯水タンク２３を支えるタンク受け部２７０Ｂ及び加湿フィルタ２１Ｂに水を供給するために水を貯えておくための水路２７６を備えている。タンク受け部２７０Ｂは、貯水タンクを支えるだけでなく、貯水タンク２３に貯えられている水を受け取る機能を有している。図１４及び図１６は、加湿装置２０Ｂの左右中央を通って前後に延びる平面で切断した加湿装置２０Ｂの断面図である。この図１４及び図１６に示されているように、水路２７６は、加湿装置２０Ｂのタンク受け部２７０Ｂの下方に配置され、左右に延びている。水路２７６は、左右の壁面２７６ａ，２７６ｂの後部上方には、支軸２６０Ｂを回動可能に支えるための穴が形成されている。そして、水路２７６の後方の壁面２７６ｃが傾斜しており、上方に行くほど開口が広がっている。水路２７６のこのような構成によって、加湿フィルタ２１Ｂの前端２１ｃが下がるように加湿フィルタ２１Ｂを後方の壁面２７６ｃに沿って傾けることができる。
【００７９】
これら水路２７６は、タンク受け部２７０Ｂで受け取られた水を引き入れられるように構成されている。そして、タンク受け部２７０Ｂは、支持している貯水タンク２３に水が貯えられている間中ずっと、水路２７６の水面が喫水線ＤＬの高さを保つように貯水タンク２３から水を受け取ることができるのは、第１実施形態及び第２実施形態の右側水路２７１，２７１Ａ及び左側水路２７２Ａ，２７２Ｂと同様である。また、図１４及び図１６に示されている蓋部２８１の一部にタンク受け部２７０Ｂが契合して注水口２８７Ｂが開く仕組みになっている。この注水口２８７Ｂから注ぎ込まれる水は、タンク受け部２７０Ｂの開口部２７４Ｂを通って水路２７６に水が供給される。この開口部２７４Ｂの下端２７５Ｂが喫水線ＤＬの高さに対応する。
【００８０】
（９）加湿装置の動作
加湿装置２０Ｂの動作については、図１４、図１６及び図１７を用いて説明する。図１４には水平に対して加湿フィルタ２１Ｂの後方が下がっている状態が示され、図１６には加湿フィルタ２１Ｂの前端２１ｃが下がっている状態が示されている。駆動部による加湿フィルタ２１Ｂの駆動の仕方については第１実施形態や第２実施形態と同様に行なえるので、ここでは駆動部による加湿フィルタ２１Ｂの駆動の説明を省略する。
【００８１】
加湿フィルタ２１Ｂは、駆動部によって駆動されることで、図１４の状態と図１６の状態を繰り返す。このように、加湿フィルタ２１Ｂは、シーソーのように支軸２６０Ｂを中心に前後に傾き、前に傾いた図１６の状態のときに加湿フィルタ２１Ｂへの給水が行なわれる。
【００８２】
図１６に示されているように加湿フィルタ２１Ｂが前に傾くと、図１７（ａ）に示されているように下に下がった前端２１ｃでは柄杓２５４に水が入る一方、図１７（ｂ）に示されているように上にあがった後端２１ｄでは水受け２５５からフィルタ部材２２０に水が流れ出す。後端２１ｄは水没することはないが、図１４に示されているように加湿フィルタ２１Ｂが後に傾くと、図１７（ｃ）に示されているように柄杓２５４によって汲み上げられた水は、柄杓２５４から流れ出し、流れ出した水の一部がフィルタ部材２２０、右枠２４３Ｂ及び左枠２４４Ｂなどを伝って後端２１ｄの水受け２５５に流れ込む。このような現象によって、後端２１ｄの水受け２５５が水没しなくても水受け２５５の中に水が溜まる。図１４及び図１６に示されている状態が交互に現れるシーソーのような動作を繰り返すことによって、前端２１ｃが水没している間だけでなく、前端２１ｃが水面を離れて上昇しているときにも柄杓２５４及び水受け２５５によってフィルタ部材２２０への水の供給が続けられる。
【００８３】
また、加湿装置２０Ｂにおいても、前枠２４１Ｂとフィルタ部材２２０の隙間、後枠２４２Ｂとフィルタ部材２２０の隙間及び横桟２５２Ｂとフィルタ部材２２０の隙間を伝って水が水面よりも遠くまで浸入するので、フィルタ部材２２０が水で濡れる面積が速く増加するのは、第１実施形態の加湿装置２０と同様である。
【００８４】
最初は、フィルタ部材２２０の中央や後方の部分が濡れていなくても、加湿フィルタ２１Ｂが揺動を繰り返すことで、フィルタ部材２２０の濡れている面積は増加を続け、やがてフィルタ部材２２０の全面に水が浸み込んだ状態になる。
【００８５】
加湿装置２０Ｂによって加湿される気流は、水路２７６の後方の壁面２７６ｃと本体ケーシング１１の後面１１Ｂの間は、気流が通る開口２９０Ｂになっている。図１４及び図１６の加湿フィルタ２１Ｂと開口２９０Ｂの関係を見ると、図１４に示されているように加湿フィルタ２１Ｂが後方に傾いているときは、開口２９０Ｂのほぼ全体を加湿フィルタ２１Ｂが覆っている。そして、後面１１Ｂに膨出部１１Ｂａが設けられているので、図１６に示されているように加湿フィルタ２１Ｂが前方に傾いているときでも、開口２９０Ｂの後方側にはほとんど隙間ができない。
【００８６】
開口２９０Ｂから吹き上がった気流がフィルタ部材２２０を通過するとき、フィルタ部材２２０が湿っていれば気化面２１０Ｂから気化する水分によって気流は加湿され、フィルタ部材２２０が乾いていれば気流は加湿されない。すなわち、加湿フィルタ２１Ｂが図１４の状態を維持し続けると、フィルタ部材２２０が乾いて加湿が停止する。加湿フィルタ２１Ｂが揺動して、気化面２１０Ｂに水路２７６から水が供給され続けると、加湿フィルタ２１Ｂによる加湿が継続して行なわれる。
【００８７】
（１０）特徴
（１０−１）
以上説明したように、加湿フィルタ２１，２１Ａ，２１Ｂは、気化面２１０，２１０Ａ，２１０Ｂにフィルタ部材２２０が張られた構成となっている。第１実施形態及び第２実施形態の気化面２１０，２１０Ａは、右端２１ａ（第１端の例）と右端２１ａの反対側に在る左端２１ｂ（第２端の例）とを持っている。駆動部３０，３０Ａが加湿フィルタ２１，２１Ａを駆動して、加湿フィルタ２１，２１Ｂが揺動すると、図７（ａ）及び図１２に示されているように加湿フィルタ２１，２１Ａが左に傾いた状態から右に傾いた状態に移行するときに右端２１ａが上から下に移動すると同時に左端２１ｂが下から上に移動する。次に、加湿フィルタ２１，２１Ａが右に傾いた状態から左に傾いた状態に移行するときに右端２１ａが下から上に移動すると同時に左端２１ｂが上から下に移動する。これらの動作うちの前者が第１動作の例であり、後者が第２動作の例である。モータ３１及びステッピングモータ３１Ａが回転し続けて、これら前者と後者を繰り返すことによって、右側水路２７１，２７１Ａ及び左側水路２７２，２７１Ｂからフィルタ部材２２０への水の供給及び気化面２１０，２１０Ａでの加湿が行える。
【００８８】
加湿フィルタ２１，２１Ａは、駆動部３０，３０Ａによってシーソーのように右端２１ａの上への移動と左端２１ｂの下への移動及び右端２１ａの下への移動と左端２１ｂの上への移動しかしないために移動範囲が小さくなる。また、加湿フィルタ２１，２１Ａの動作がシーソーのような単純な揺動動作であることから駆動部３０、３０Ａの構造も、モータ３１とクランク部３２又はステッピングモータ３１Ａと駆動ギア３６のように単純化される。これらの理由から、加湿フィルタ２１，２１Ａと駆動部３０，３０Ａのために必要な空間を小さくすることで加湿装置２０，２０Ａが小型化され、ひいては加湿装置２０，２０Ａを含む加湿機能付き空気清浄機１０（加湿機の例）が小型化される。
【００８９】
第３実施形態の気化面２１０Ｂでは、前端２１ｃ（第１端の例）と前端２１ｃの反対側に在る後端２１ｄ（第２端の例）とを持っている。駆動部が加湿フィルタ２１Ｂを駆動して、加湿フィルタ２１Ｂが揺動すると、図１３乃至図１６に示されているように加湿フィルタ２１Ｂが後に傾いた状態から前に傾いた状態に移行するときに前端２１ｃが上から下に移動すると同時に後端２１ｄが下から上に移動する。これが第２動作の例である。次に、加湿フィルタ２１Ｂが前に傾いた状態から後に傾いた状態に移行するときに前端２１ｃが下から上に移動すると同時に後端２１ｄが上から下に移動する。これが第１動作の例である。駆動部の駆動が続いて第１動作と第２動作を繰り返すことによって、水路２７６からフィルタ部材２２０への水の供給及び気化面２１０Ｂでの加湿が行える。第３実施形態においても、第１実施形態及び第２実施形態と同様に、加湿フィルタ２１Ｂが駆動部によってシーソーのように揺動するので、加湿フィルタ２１Ｂの移動範囲が小さくなり、加湿フィルタ２１Ｂと駆動部のために必要な空間を小さくすることで加湿装置２０Ｂが小型化され、ひいては加湿装置２０Ｂを含む加湿機能付き空気清浄機１０（加湿機の例）が小型化される。
【００９０】
（１０−２）
上述のように、加湿装置２０，２０Ａは、右側水路２７１，２７１Ａと左側水路２７２，２７２Ａ（一方が第１貯水部の例であり、他方が第２貯水部の例である）を備えている。右側水路２７１，２７１Ａは、右端２１ａが下に移動したときにフィルタ部材２２０の右端２１ａの側を水に浸漬するためのものであり、左側水路２７２，２７２Ａは、左端２１ｂが下に移動したときにフィルタ部材２２０の左端２１ｂの側を水に浸漬するためのものである。
【００９１】
シーソーのように加湿フィルタ２１、２１Ａが右に傾いたときと左に傾いたときのそれぞれにおいて、フィルタ部材２２０の右端２１ａの側と左端２１ｂの側を交互に右側水路２７１，２７１Ａと左側水路２７２，２７２の水に浸漬できる。その結果、加湿フィルタ２１，２１Ａが右に傾いたときと左に傾いたときの両方で水をフィルタ部材２２０に吸水させることができる。その結果、フィルタ部材２２０に効率良く吸水させることができるからフィルタ部材２２０から多くの水分を蒸発させることができ、高い加湿性能を得ることができる。
【００９２】
（１０−３）
加湿フィルタ２１は、右端２１ａと左端２１ｂの間の気化面２１０が断面円弧状に形成されている。気化面２１０を支える前枠２４１及び後枠２４２の曲率中心ＣＣが支持棒２６０の上にあって、この支持棒２６０の上に在る曲率中心ＣＣが駆動部３０で加湿フィルタ２１が駆動されるときの支点になっている。つまり、駆動部３０は、断面円弧状の気化面２１０の中心軸側に加湿フィルタ２１の支点を有しているということである。なお、上述の加湿装置２０では、中心軸と支点とが一致している例になるが、必ずしも一致していなくても後述する効果は生じる。この支点を通る回転軸の周りで加湿フィルタ２１を揺動させることによって、駆動部３０は、加湿フィルタ２１を右に傾ける動作と左に傾ける動作を繰り返し行なわせている。この加湿フィルタ２１が右に傾く動作と左に傾く動作における加湿フィルタ２１の動きは、気化面２１０に沿う動きになる。その結果、気化面２１０の右端２１ａと左端２１ｂは上下に動くが、加湿フィルタ２１の上下動が抑制され、加湿フィルタ２１の動作のために必要な空間をさらに小さくでき、空気清浄機１０の小型化がさらに容易に実現できる。
【００９３】
（１０−４）
第２実施形態の加湿フィルタ２１Ａは、右端２１ａと左端２１ｂの間の気化面２１０Ａが断面逆Ｕ字形に形成されている。駆動部３０は、気化面２１０Ａに３方を囲まれた空間内に加湿フィルタ２１Ａの支点を有する。そして、加湿装置２０Ａは、支点２６２を通る回転軸の周りで加湿フィルタ２１Ａを揺動させることによって、フィルタ部材２２０の右端２１ａと左端２１ｂを交互に右側水路２７１Ａと左側水路２７２の水に浸漬する動作を繰り返し行なわせる。このように加湿フィルタ２１Ａが右に傾斜する動作と左に傾斜する動作において、フィルタ部材２２０の上面すなわち加湿フィルタ２１Ａの中央領域２１１Ａが傾斜する動きになるので、上方に動いた右端２１ａ又は上方に動いた左端２１ｂからフィルタ部材２２０の上面に水を伝え易くなる。特に、右端２１ａ又は上方に動いた左端２１ｂの柄杓２５３から水が供給されるので、フィルタ部材２２０の上面に水を伝え易くなる。その結果、フィルタ部材２２０の全面への水の供給が容易になり、高い加湿性能を得易くなる。
【００９４】
（１０−５）
第３実施形態の加湿装置２０Ｂでは、第１実施形態及び第２実施形態と異なり、前端２１ｃが下に移動したときのフィルタ部材２２０の前端２１ｃの側を水に浸漬するための水路２７６（貯水部の例）が一つだけある。つまり、フィルタ部材２２０の後端２１ｄが下に移動したときの後端２１ｄの側を水に浸漬されないように構成されている。従って、後端２１ｄの側には水路を設けなくて済み、加湿装置２０Ｂは、小型化し易いものとなっている。
【００９５】
（１０−６）
加湿フィルタ２１Ｂは、気化面２１０Ｂが平板状である。そして、この加湿フィルタ２１Ｂは、駆動部によって、支軸２６０Ｂ（気化面の近傍の支点の例）を通る回転軸の周りで揺動させられる。気化面２１０Ｂの前端２１ｃには、柄杓２５４が設けられており、この柄杓２５４で水を汲み上げてフィルタ部材２２０に水を供給する。この柄杓２５４が上に持ち上がったとき、平板状の気化面２１０Ｂが一直線に傾斜するため、右枠２４３Ｂ、左枠２４４Ｂ及び縦桟２５１Ｂを伝ってフィルタ部材２２０の全面に水が広がり易い。さらに、後端２１ｄには、水受け２５５があり、右枠２４３Ｂ、左枠２４４Ｂ及び縦桟２５１Ｂを伝ってフィルタ部材２２０に吸収されずに残った水を受け止めることができ、水受け２５５に溜まった水を後端２１ｄが次に持ち上がったときに再びフィルタ部材２２０に向かって供給できるので、効率良く水をフィルタ部材２２０に浸み込ませることができる。このように、前端２１ｃのみを水路２７６に浸漬させる構成であっても、加湿性能の維持が図りやすくなる。
【００９６】
（１０−７）
第１乃至第３実施形態の加湿フィルタ２１，２１Ａ，２１Ｂは、フィルタ部材２２０が平面視において四角形に形成されている。その結果、フィルタ部材２２０を作成する際に原反からフィルタ部材２２０を隙間なく切り出して原反の切れ端をなくし、切れ端をなくした分に相当する材料費が削減される。このようにして、加湿フィルタ２１，２１Ａ，２１Ｂの製造コスト、ひいては加湿装置２０，２０Ａ，２０Ｂの製造コストを削減することができる。
【００９７】
（１０−８）
第１実施形態及び第２実施形態の加湿フィルタ２１，２１Ａ，２１Ｂは、貯水トレイ２２，２２Ａ，２２Ｂの開口２９０，２９０Ａ，２９０Ｂを下から上に流れる気流Ａｒ１（所定気流の例）に対して加湿するために、フィルタ部材２２０が気流Ａｒ１の実質的な全体を常に横切る位置に配置されている。その結果、フィルタ部材２２０が気流Ａｒ１を横切ったり、横切らなかったりすることによる気流Ａｒ１の脈動を抑制することができ、風量の脈動や騒音の脈動を抑制することができる。
【００９８】
（１０−９）
第１実施形態及び第２実施形態の駆動部３０，３０Ａは、いずれも、フィルタ部材２２０の右端２１ａの側及び左端２１ｂの側の両側が水に浸漬しない停止ポジションで加湿フィルタ２１，２１Ａを停止させる機能を持っている。同様に、第３実施形態の駆動部は、フィルタ部材２２０の前端２１ｃの側及び後端２１ｄの側の両側が水に浸漬しない停止ポジションで加湿フィルタ２１Ｂを停止させる機能を持っている。
【００９９】
フィルタ部材２２０の両側が水に浸漬しない停止ポジションで加湿フィルタ２１，２１Ａ，２１Ｂを停止させることにより、フィルタ部材２２０への水の供給を停止して加湿機能を停止させることができる。その結果、停止ポジションを設定するという簡単な構成によって、加湿停止機能を付加することができる。また、停止中は加湿フィルタ２１，２１Ａ，２１Ｂが停止ポジションにあるので、フィルタ部材２２０を水につけたまま長時間放置しなくても済むためにフィルタ部材２２０が高い耐久性を要求されないことから安価なフィルタ部材２２０を用いることができ、加湿停止機能の付加とフィルタ部材２２０の長期間の使用を低コストで実現できる。
【０１００】
（１１）変形例
（Ａ）
上記各実施形態では、加湿機の例として加湿機能付き空気清浄機１０を示したが、本発明は、加湿装置２０，２０Ａ，２０Ｂに相当する構造を持つ一般的な加湿機に適用することもできる。
【０１０１】
（Ｂ）
上記各実施形態では、加湿フィルタ２１，２１Ａ，２１Ｂが一つだけの場合について説明したが、加湿フィルタ２１，２１Ａ，２１Ｂを複数も受けてもよく、例えば加湿フィルタを２つ並べて設けて互いに逆向きに揺動するように構成してもよい。
【符号の説明】
【０１０２】
１０    加湿機能付き空気清浄機（加湿機）
２０，２０Ａ，２０Ｂ    加湿装置
２１，２１Ａ，２１Ｂ    加湿フィルタ
３０，３０Ａ    駆動部
２７１，２７１Ａ    右側水路（第１貯水部）
２７２，２７２Ａ    左側水路（第２貯水部）
２７６  水路（貯水部）
２１０，２１０Ａ，２１０Ｂ    気化面
２２０    フィルタ部材
【先行技術文献】
【特許文献】
【０１０３】
【特許文献１】特開２００３−３０２０７７号公報
【図１】
2015145741.tif 000003
【図２】
2015145741.tif 000004
【図３】
2015145741.tif 000005
【図４】
2015145741.tif 000006
【図５】
2015145741.tif 000007
【図６】
2015145741.tif 000008
【図７】
2015145741.tif 000009
【図８】
2015145741.tif 000010
【図９】
2015145741.tif 000011
【図１０】
2015145741.tif 000012
【図１１】
2015145741.tif 000013
【図１２】
2015145741.tif 000014
【図１３】
2015145741.tif 000015
【図１４】
2015145741.tif 000016
【図１５】
2015145741.tif 000017
【図１６】
2015145741.tif 000018
【図１７】
2015145741.tif 000019
【図１８】
2015145741.tif 000020